(57)【要約】【課題】互いに異なる照明用の複数の発光素子に対応でき、かつコストの上昇を抑えた発光素子駆動用回路基板を提供する。【解決手段】発光素子駆動用回路基板１１ｂは、照明用のLED５を駆動するための回路が搭載される基板であって、基板１１ｂ上に搭載され、単眼用のLED５を駆動するための電源切替回路部２３等と、電源切替回路部２３に電源を供給するための、基板１１ｂ上に形成された少なくとも１つの一対の端子部C11,C12と、単眼用のLED５を駆動するときには不使用でアダプタ用のLED５を駆動するときに使用される電流制限回路部２１等を搭載するための、基板１１ｂ上に設けられた回路搭載領域２１ａ等とを有する。【選択図】図３
2010136764.tif 000002
【特許請求の範囲】
【請求項１】
照明用の第１及び第２の発光素子を駆動するための回路が搭載される基板であって、
前記基板上に搭載され、前記第１の発光素子を駆動するための第１の回路部と、
前記第１の回路部に電源を供給するための、前記基板上に形成された少なくとも１つの一対の端子部と、
前記第１の発光素子を駆動するときには不使用で前記第２の発光素子を駆動するときに使用される第２の回路部を搭載するための、前記基板上に設けられた回路搭載領域と、
を有することを特徴とする発光素子駆動用回路基板。
【請求項２】
前記第２の回路部は、前記光学アダプタの着脱検知回路と前記光学アダプタの種類判定回路を含むことを特徴とする請求項１に記載の発光素子駆動用回路基板。
【請求項３】
前記基板に搭載され、前記第１の発光素子と前記第２の発光素子のいずれに対しても、それぞれの所定の定電流を供給する定電流回路部を有することを特徴とする請求項１または２に記載の発光素子駆動用回路基板。
【請求項４】
照明用の第１及び第２の発光素子を駆動するための回路が搭載される基板であって、
前記基板上に搭載され、前記第１の発光素子を駆動するための第１の回路部と、
前記第１の発光素子を駆動するときには不使用で前記第２の発光素子を駆動するときに使用される第２の回路部が前記基板上に搭載された場合には接続されず、前記第１の発光素子を駆動する場合には接続されて、前記第１の回路部に電源を供給するための、前記基板上に形成された少なくとも１つの一対の端子部と、
を有することを特徴とする発光素子駆動用回路基板。
【請求項５】
内視鏡と、
前記内視鏡が接続される本体装置と、
前記本体装置に設けられ、照明用の第１及び第２の発光素子を駆動するための回路が搭載される基板であって、前記基板上に搭載され前記第１の発光素子を駆動するための第１の回路部と、前記第１の回路部に電源を供給するための前記基板上に形成された少なくとも１つの一対の端子部と、前記第１の発光素子を駆動するときには不使用で前記第２の発光素子を駆動するときに使用される第２の回路部を搭載するための、前記基板上に設けられた回路搭載領域とを有する発光素子駆動用回路基板と、
を有することを特徴とする内視鏡システム。
【請求項６】
前記発光素子は、前記内視鏡の照明用発光素子であることを特徴とする請求項５に記載の内視鏡システム。
【請求項７】
前記第１の発光素子は、前記内視鏡の挿入部の先端部に内蔵され、
前記第２の発光素子は、前記内視鏡の光学アダプタに内蔵されていることを特徴とする請求項６に記載の内視鏡システム。
【発明の詳細な説明】
【技術分野】
【０００１】
本発明は、発光素子駆動用回路基板及び内視鏡システムに関し、特に、照明用の発光素子を駆動するための回路が搭載される発光素子駆動用回路基板及び内視鏡システムに関する。
【背景技術】
【０００２】
近年、工業用分野において、ボイラ、タービン、エンジン、化学プラント等の内部の傷、腐食等の観察、検査に工業用内視鏡が広く用いられている。また、医療分野においても、体腔内に細長の挿入部を挿入することにより、体腔内臓器等を観察し、必要に応じ処置具チャンネル内に挿通した処置具を用いて各種治療処置のできる内視鏡が広く利用されている。
【０００３】
これらの内視鏡を用いたシステムでは、例えば、撮像素子に結像した観察像の画像信号を本体装置であるカメラコントロールユニット（以下CCUと略記する）の信号処理部に伝達して映像信号を生成し、モニタ画面上に内視鏡画像を表示させて被写体の観察が行える構成になっている。
【０００４】
内視鏡には、もともと挿入部の先端部に１以上の発光素子が組み込まれているもの（以下、単眼式ともいう）と、挿入部の先端に取り付ける光学アダプタに１以上の発光素子が内蔵されているもの（以下、アダプタ式ともいう）とがある。
【０００５】
単眼式の内視鏡の場合、照明用の発光素子、例えば発光ダイオード（以下、LEDという）は内蔵されているので、その構成（直列及び並列）及び数は決まっており、変更はなく、その構成及び数に応じた所定の定電流で駆動される。
【０００６】
一方、アダプタ式の内視鏡の場合も、内蔵されたLEDは定電流駆動される（例えば、特許文献１参照）が、LEDの構成（直列及び並列）及び数は、挿入部の先端部に取り付けられる光学アダプタの種類に応じて異なるため、LEDは、その種類に応じた値の定電流で駆動される。すなわち、光学アダプタの種類に応じて、LEDの駆動電流値が異なる。よって、挿入部に装着された光学アダプタの種類が判別され、その判別結果に応じた値の電流がLEDに供給されるように、LED駆動部は、駆動電流を制御する。
【０００７】
内視鏡システムは、内視鏡（いわゆるスコープ部）と本体装置が組み合わされて構成されるので、内視鏡システムには、単眼式の内視鏡が接続された単眼式の内視鏡システムと、アダプタ式の内視鏡が接続されたアダプタ式の内視鏡システムの２つの種類がある。
【特許文献１】特開２００５−３４９１８９号公報
【発明の開示】
【発明が解決しようとする課題】
【０００８】
上述したように、照明部の光学素子の違いにより内視鏡システムには２種類あり、２種類のシステムにおいてLED駆動部すなわち照明部の駆動回路部の駆動方法が異なるため、本体装置は、接続される内視鏡の種類に対応して別々のものが用意されている。すなわち、従来は、単眼式用の本体装置と、アダプタ式用の本体装置の２つを用意して置かなければならなかった。そのため、本体装置に搭載されるLED駆動部を含む基板も、接続される内視鏡の種類に対応して別々のものとなるので、種類に応じた基板を用意しておくことは、コスト高に繋がるものであった。
【０００９】
コスト低減のために、基板を、単眼式用の本体装置とアダプタ式用の本体装置の両方に利用可能な共通の基板にすることが考えられる。そのため、従来の単眼式用のLED駆動回路とアダプタ式用のLED駆動回路の２つの回路を１つの基板上に搭載する方法も考えられるが、そのような方法によれば、基板のサイズが大きくなってしまうという問題が生じる。
【００１０】
さらに、共通の基板上に２つの種類用のLED駆動回路が含まれるため、例えば、アダプタ式の内視鏡システムの場合では使用されるが単眼式のシステムでは全く使用されない部品が含まれていることになるので、使われない部品代だけコストが常に高くなってしまうという問題も生じる。
【００１１】
本発明は、以上の問題に鑑みてなされたものであり、互いに異なる照明用の複数の発光素子に対応でき、かつコストの上昇を抑えた発光素子駆動用回路基板及び内視鏡システムを提供することを目的とする。
【課題を解決するための手段】
【００１２】
本発明の一態様によれば、照明用の第１及び第２の発光素子を駆動するための回路が搭載される基板であって、前記基板上に搭載され、前記第１の発光素子を駆動するための第１の回路部と、前記第１の回路部に電源を供給するための、前記基板上に形成された少なくとも１つの一対の端子部と、前記第１の発光素子を駆動するときには不使用で前記第２の発光素子を駆動するときに使用される第２の回路部を搭載するための、前記基板上に設けられた回路搭載領域と、を有する発光素子駆動用回路基板を提供することができる。
【発明の効果】
【００１３】
本発明によれば、互いに異なる照明用の複数の発光素子に対応でき、かつコストの上昇を抑えた発光素子駆動用回路基板及び内視鏡システムを実現することができる。
【発明を実施するための最良の形態】
【００１４】
以下、本発明の実施の形態を、図面を用いて説明する。  
本実施の形態に係る内視鏡システムは、内視鏡（いわゆるスコープ部）と本体装置とを含んで構成され、本体装置には、単眼式の内視鏡とアダプタ式の内視鏡のいずれも接続可能である。本体装置は、単眼式の内視鏡が接続されれば、単眼式の内視鏡装置として機能し、アダプタ式の内視鏡が接続されれば、アダプタ式の内視鏡装置として機能する。
【００１５】
図１は、複数の内視鏡と、その複数の内視鏡のいずれも接続可能な本体装置とを含んで構成される内視鏡システムの構成を示す構成図である。  
内視鏡システム１００は、複数の内視鏡１のいずれか１つを本体装置２に接続して、内視鏡画像をモニタ３に表示することができるシステムである。
【００１６】
内視鏡１には、所謂単眼式の内視鏡１A、及びそれぞれが光学アダプタ４を装着可能な複数の光学アダプタ式の内視鏡１Bが含まれる。以下、任意の一つの内視鏡を指す場合及び複数の内視鏡を纏めて指す場合は、内視鏡１という。複数の光学アダプタ式の内視鏡１Bのそれぞれには、互いに異なる光学アダプタ４が挿入部の先端部に装着可能となっている。
【００１７】
単眼式の内視鏡１Aは、その挿入部の先端部に発光素子としてのLED５が内蔵された内視鏡である。  
光学アダプタ式の内視鏡１Bは、上述したように、光学アダプタ４が装着可能な挿入部を有する内視鏡であり、光学アダプタ４は、LED５を含む。すなわち、光学アダプタ式の内視鏡１Bは、照明部としてのLED５が光学アダプタ４に内蔵され、挿入部の先端部に光学アダプタ（以下、単にアダプタともいう）４を取り付けることによって、被写体を照明することができる内視鏡である。
【００１８】
単眼式の内視鏡１Aと、光学アダプタ４に内蔵されるLEDは、１以上のLEDからなり、直列あるいは並列に接続されたLED群である。
【００１９】
なお、本実施の形態では、単眼式の内視鏡１Aの先端部に内蔵されたLED５及び、光学アダプタ４に内蔵されたLED５は、それぞれ発光ダイオードであるが、発光素子は、レーザダイオード等でもよい。
【００２０】
また、各内視鏡１A、１Bには、内視鏡種類情報を記憶したメモリ６が設けられている。メモリ６は、不揮発性の記憶部であり、その内視鏡が単眼式であるかアダプタ式であるかの内視鏡の種類を示す情報を記憶する内視鏡種類情報記憶部である。
【００２１】
本体装置２は、CPU２ａと、LED駆動回路２ｂを含んでいる。CPU２ａとLED駆動回路２ｂを含む各種回路は、本体装置２内に搭載された基板上に搭載されている。そして、LED駆動回路２ｂは、定電流回路等を含んで構成されている。内視鏡１は、本体装置２のコネクタ７を介して電気的に本体装置２と接続され、CPU２ａによって、メモリ６の内容は読み出される。CPU２ａは、内視鏡システム１００の各種機能を実現するための各種プログラムを実行する。
【００２２】
なお、メモリ６には、内視鏡１の種類を示す情報に加えて、内視鏡毎の個別情報、たとえば装着可能なアダプタの種類情報、を含んでも良い。複数の光学アダプタ式の内視鏡１Bには、挿入部の径が異なるものがあり、たとえば４ｍｍと６ｍｍのものがあり、内視鏡毎に装着できるアダプタの種類は異なるので、そのような装着可能なアダプタの情報をメモリ６に記憶させてもよい。
【００２３】
以上のように、内視鏡装置としての本体装置２には、単眼式の内視鏡１Aと、アダプタ式の内視鏡１Bのいずれも接続可能になっており、内視鏡システム１００は、単眼式の内視鏡１Aを本体装置２に接続すれば、単眼式の内視鏡システムとなり、アダプタ式の内視鏡１Bを接続すれば、アダプタ式の内視鏡システムとなる。
【００２４】
しかし、内視鏡システム１００は、単眼式の内視鏡が接続されて単眼式の内視鏡システムとして製造されるか、あるいはアダプタ式の内視鏡が接続されてアダプタ式の内視鏡システムとして製造されるかに拘わらず、いずれの種類の内視鏡システムであっても、本体装置２に搭載される回路基板自体は、共通の基板が用いられる。
【００２５】
そして、回路基板自体は、共通で同じものであるが、その共通の回路基板は、単眼式の内視鏡システムに取り付けられる場合は、全ての部品が搭載されていない状態の基板であり、アダプタ式の内視鏡システムに取り付けられる場合は、全ての部品が搭載された状態の基板である。
【００２６】
図２及び図３は、その共通の基板に搭載される各種回路の一部の構成を示す模式的な基板の構成図である。図２は、光学アダプタ式の本体装置に搭載される基板１１ａの構成図である。
【００２７】
光学アダプタ式の場合のLED駆動回路２ｂは、電流制限回路部２１と、過電流検知回路部２２と、２つの電源切替回路部２３，２４と、着脱検知回路部２５と、点灯排他処理回路部２６と、定電流回路部２７とを含んでいる。基板１１ａ上には、これらの各種回路部が実装され搭載されている。各回路部は、複数の固体素子からなる部品の集合の回路である場合、全体で一つの半導体チップ部品の回路である場合、あるいは一部が固体素子の部品の集合で他部が半導体チップ部品の回路である場合、等がある。回路部間は、基板１１ａ上に形成された複数の配線により電気的に接続されている。
【００２８】
基準電源からの所定の基準電圧は、基板１１ａ上の各種回路部に供給されるが、図２では、特に、基準電圧は、電流制限回路２１に供給されることが図示されている。さらに、基準電源からの基準電圧は、基板１１ａ上の端子C11にも配線により供給されており、一対の端子部を構成する端子C11と端子C12を接続すれば、電源切替回路部２３にも供給されるように、基板１１ａ上の配線は設けられている。端子C11,C12は、基板１１ａ上の配線の途中に形成されたランド、ホール等である。後述する端子C13,C14も、端子C11,C12と同様に、基板１１ａ上に設けられたランド、ホール等である。
【００２９】
電流制限回路部２１は、基準電源から基準電圧、例えば３０Vを受け、電源切替回路部２３に所定の電源を供給する。過電流検知回路部２２は、挿入部の先端部における短絡等により異常な電流がLED５に流れるのを防止するために、電流制限回路部２１の出力を監視し、過電流になったことを検知すると過電流検知信号ACOを点灯排他処理回路部２６に出力する。
【００３０】
電源切替回路部２３は、電流制限回路部２１から電源を受けて、かつ点灯排他処理回路部２６からの点灯状態信号LOSを受信する。電源切替回路部２３は、点灯状態信号LOSに応じて、基板１１ａに接続された内視鏡１Bの挿入部に装着されたアダプタ４内のLED５へ所定の電源を供給する。  
また、電源切替回路部２４は、アダプタの種類を検知するときに使用される電源に切り替える回路である。電源切替回路部２４は、光学アダプタ４の種類を判定するための光学アダプタ種類判定回路を含む。電源切替回路部２４は、LED５に並列に接続された抵抗５ａに所定の電流を供給して、発生した電圧からアダプタ４の種類を判定するための回路である。
【００３１】
着脱検知回路部２５は、アダプタ５が装着されているか否か、あるいはアダプタ５が外れたか否かを判定し、アダプタ５の着脱状態信号ASを、点灯排他処理回路部２６に出力する回路である。
【００３２】
点灯排他処理回路部２６は、CPU２ａからのアダプタ種類検出信号ADO及び点灯信号LOと、過電流検知回路部２２からの過電流検知信号ACOと、着脱検知回路部２５からの着脱状態信号ASを受信して、電源切替回路部２３，２４を制御するための、点灯状態信号LOSとアダプタ種類検出信号EADOを出力する回路である。
【００３３】
点灯排他処理回路部２６は、CPU２ａからの点灯信号LOを受信すると、着脱状態信号ASと過電流検知信号ACOの状態に基づいて、点灯状態信号LOSを電源切替回路部２３に供給する回路である。
【００３４】
CPU２ａからのアダプタ種類検出信号ADOは、 CPU２ａにおいてアダプタの種類を検出する処理が実行されるときに、出力され、点灯排他処理回路部２６に供給される。
【００３５】
点灯排他処理回路部２６は、CPU２ａからのアダプタ種類検出信号ADOを受信すると、アダプタ種類検出信号EADOを電源切替回路部２４に供給する。
【００３６】
CPU２ａからの点灯信号LOは、内視鏡１のユーザによる所定の操作ボタンの操作に応じて、出力され、点灯排他処理回路部２６に供給される。さらに、点灯信号LOは、基板１１ａ上の端子C13にも配線により供給されており、一つの端子部を構成する端子C13と端子C14とが接続されれば、電源切替回路部２３にも供給されるように、基板１１ａは構成されている。
【００３７】
定電流回路部２７は、CPU２ａからの設定データに基づいて、所定の定電流を、発光素子５に供給するための回路である。
【００３８】
CPU２ａは、本体装置２に接続されている内視鏡１の種類、あるいは内視鏡１Ｂの挿入部の先端部に装着されたアダプタの種類に応じた所定の定電流を、LED５に供給するように、設定データを定電流回路部２７に供給する。
【００３９】
本体装置２に図２に示す基板１１ａが搭載され、アダプタ式の内視鏡１Ｂが本体装置２に接続されることによって、内視鏡システム１００は、アダプタ式の内視鏡システムを構成する。
【００４０】
図３は、単眼式の本体装置に搭載される基板１１ｂの構成図である。基板１１ｂの基板自体は、基板１１ａと同じであるが、基板上に搭載される部品が、基板１１ａとは異なっている。すなわち、単眼式の内視鏡１Aの場合には使用されない１以上の回路部は、基板１１ｂ上には搭載されていない。
【００４１】
そして、上述した基板上の端子C11とC12間には、所定の抵抗r1が接続され、端子C13とC14間には、所定の抵抗r2が接続されている。  
従って、基板１１ｂ上には、電流制限回路部２１と、過電流検知回路部２２と、電源切替回路部２４と、着脱検知回路部２５と、点灯排他処理回路部２６の、単眼式の内視鏡１Aの場合には使用されない回路部は、それらが実装されるべきそれぞれの回路搭載領域２１ａ、２２ａ、２４ａ、２５ａ、２６ａに搭載されていない。図３において、各回路部２１ａ，２２ａ，２４ａ，２５ａ，２６ａの点線で示された部分は、基板１１ｂ上における回路搭載領域である。逆に言えば、基板１１ｂ上には、単眼式の内視鏡１Aの場合に使用される、回路部電源切替回路部２４と定電流回路部２７だけが搭載されている。
【００４２】
単眼式の内視鏡１Aが接続される場合は、LED５に供給される電流は変更されることがないこと、及びアダプタに関する着脱検知等の処理はないことから、上述した複数の回路部は、基板１１ｂ上に搭載されない。
【００４３】
さらに、単眼式の内視鏡システムにおいて、所定の電源を電源切替部２３へ供給するために、所定の抵抗r1が端子C11とC12間に接続されている。さらに、CPU２ａからの点灯信号LOを電源切替部２３へ供給するために、所定の抵抗r2が端子C13とC14間に接続される。
【００４４】
すなわち、単眼式の内視鏡システムにおいてLED駆動のために必要な２つの回路部だけが基板１１ｂに搭載され、さらに必要な電源及び信号をその必要な２つの回路部に供給するための電気的接続が行われる。
【００４５】
基板１１ｂは、電流制限回路部２１と点灯排他処理回路部２６からの電源あるいは信号が電源切替回路部２３に供給されるように配線等がされている構成を有しているが、電流制限回路部２１も点灯排他処理回路部２６は基板１１ｂ上には搭載されていないので、電源あるいは信号は、電源切替回路部２３に供給されない。
【００４６】
電源切替回路部２３は、抵抗r1を介して、基準電源から所定の電源を受けて、かつ抵抗r2を介してCPU２ａからの点灯信号LOを受信することができる。電源切替回路部２３は、点灯信号LOに応じて、基板１１ｂに接続された内視鏡１Aの挿入部に内蔵されたLED５へ電源を供給する。  
CPU２ａからの点灯信号LOは、内視鏡１のユーザによる所定の操作ボタンの操作に応じて、出力される。さらに、定電流回路部２７は、CPU２ａからの設定データに基づいて、所定の定電流を、アダプタ５に供給する。
【００４７】
CPU２ａは、本体装置２に接続されている内視鏡１の種類を、メモリ６に記憶された内視鏡の種類を示す情報に基づいて、内視鏡１Aに応じた所定の定電流を、LED５に供給するように、設定データを定電流回路部２７に供給する。
【００４８】
本体装置２に図３に示す基板１１ｂが搭載され、単眼式の内視鏡１Aが本体装置２に接続されることによって、内視鏡システム１００は、単眼式の内視鏡システムを構成する。
【００４９】
以上のように、回路基板１１ｂ上には、単眼式の内視鏡１AのLED５を駆動するための各種回路は搭載されている。さらに回路基板１１ｂ上には、アダプタ式の内視鏡１Bのアダプタ４のLED５を駆動するための各種回路を搭載するための１以上の回路搭載領域が設けられている。
【００５０】
そして、この１以上の回路搭載領域は、単眼式の内視鏡１AのLED５を駆動するときには不使用で、アダプタ式の内視鏡１Bのアダプタ４のLED５を駆動するときに使用される各種回路を搭載するための領域である。
【００５１】
本体装置２にアダプタ式の内視鏡１Bが接続されるアダプタ式の内視鏡システムの場合は、回路基板１１ｂ上の１以上の回路搭載領域には、アダプタ４のLED５を駆動するときに使用される各種回路が搭載されることによって、回路基板１１ｂは、回路基板１１ａとなる。
【００５２】
さらに、回路基板１１ａ、１１ｂ上には少なくとも一対の端子部が設けられ、単眼式の内視鏡システムに用いられるときには、その一対の端子部C11、C12間が接続されてLED駆動回路に電源を供給する。また、アダプタ式の内視鏡１BのLED５を駆動するときにはその少なくとも一対の端子部間を非接続とすることにより、アダプタ式の内視鏡１BのLED５を駆動するためのLED駆動回路が構成されるように、回路基板１１ａ，１１ｂは構成されている。
【００５３】
図４は、定電流回路２７の構成の例を示す回路図である。定電流回路２７は、デジタルアナログ変換器（以下、D/A変換器という）３１と、オペアンプ３２と、トランジスタ３３と、定電流決定抵抗３４とを含んで構成されている。定電流回路２７は、CPU２ａからの設定データに応じた定電流を、内視鏡１AのLED５あるいは内視鏡１Bのアダプタ４のLED５へ供給する。
【００５４】
定電流回路２７を制御する制御回路としてのCPU２ａからの設定データは、D/A変換器３１に入力され、D/A変換器３１は、設定データに応じたアナログ電圧を生成し、生成したアナログ電圧をオペアンプ３２のプラス入力端子に出力する。
【００５５】
オペアンプ３２の出力は、トランジスタ３３のゲートに供給される。トランジスタ３３のコレクタ側は、内視鏡１Aの挿入部に内蔵されたLED５あるいは内視鏡１Bの挿入部に装着されたアダプタ４内のLED５を介して、電源切替部２３からの電源V1に接続される。なお、LED５には、並列にアダプタ識別用の抵抗５ａが接続されている。
【００５６】
トランジスタ３３のエミッタ側は、定電流決定抵抗３４を介して、接地に接続される。また、トランジスタ３３と定電流決定抵抗３４との接続点C1は、オペアンプ３２のマイナス入力端子に接続されている。
【００５７】
本体装置２のCPU２ａは、接続された内視鏡１の種類をメモリ６の内容から判定し、その判定結果に応じた所定の値を設定値として、定電流回路２ｂに供給する。アダプタ式の内視鏡の場合は、電源切替回路２４を駆動させて、アダプタ４の種類の判定を行う。
【００５８】
従って、例えば、内視鏡１が単眼式であると判定されたときは、CPU２ａは、単眼式の内視鏡１Aに応じた所定の値を設定データとして、定電流回路２７に供給する。例えば、D/A変換器１１は、０から３．３Vの範囲で出力電圧が変更可能であり、入力されたデジタル信号に応じた電圧を出力する。
【００５９】
オペアンプ３２は、接続点C1と設定された値が等しくなるように、出力電圧を発生し、その結果、LED５には、所定の定電流が供給され、適切な明るさで被写体を照明することができる。
【００６０】
以上のように、上述した本実施の形態に係る照明用の発光素子を駆動するための回路が搭載される回路基板によれば、互いに異なる照明用の複数の発光素子に対応でき、かつコストの上昇を抑えた発光素子駆動用回路基板及び内視鏡システムを提供することができる。
【００６１】
さらに、上述した実施の形態の場合、各内視鏡には、メモリが搭載され、CPU２ａが内視鏡の種類を判定することができるようになっている。よって、内視鏡と基板のミスマッチがあったときには、製造時に、所定のチェック用ソフトウエアにより事前に判定も可能である。また、LED駆動用の定電流回路は、D/A変換器を用いているため、一つの定電流回路で、単眼式とアダプタ式の両方の駆動回路に適用可能である。その結果の２つの種類の定電流回路を基板上に設ける必要がないので、コストの面と、サイズの面でメリットがある。
【００６２】
本発明は、上述した実施の形態に限定されるものではなく、本発明の要旨を変えない範囲において、種々の変更、改変等が可能である。
【図面の簡単な説明】
【００６３】
【図１】本発明の実施の形態に係る、複数の内視鏡と、その複数の内視鏡のいずれも接続可能な本体装置とを含んで構成される内視鏡システムの構成を示す構成図である。
【図２】本発明の実施の形態に係る、光学アダプタ式の本体装置に搭載される基板１１ａの構成図である。
【図３】本発明の実施の形態に係る、単眼式の本体装置に搭載される基板１１ｂの構成図である。
【図４】本発明の実施の形態に係る、定電流回路２７の構成の例を示す回路図である。
【符号の説明】
【００６４】
１  内視鏡、１A  単眼式内視鏡、１B  アダプタ式内視鏡、２  本体装置、２ａ  CPU、２ｂ  LED駆動回路、３  モニタ、４  アダプタ、５  LED、６  メモリ、７  コネクタ、１１ａ、１１ｂ  回路基板、２１  電流制限回路部、２２  過電流検知回路部、２３、２４  電源切替回路部、２５  着脱検知回路部、２６  点灯排他処理回路部、２７  定電流回路部、２１ａ，２２ａ，２４ａ、２５ａ、２６ａ  回路搭載領域、１００  内視鏡システム
【図１】
2010136764.tif 000003
【図２】
2010136764.tif 000004
【図３】
2010136764.tif 000005
【図４】
2010136764.tif 000006